(57)【要約】  平形絶縁体及び該絶縁体から突出する１対のコンタクトを備えたヒューズリンクにおいて、絶縁体の収容部に収容可能な前記コンタクトのコンタクト区分が、溶融導体を介して互いに結合されており、収容部の内の少なくとも１つ及び該収容部に対応配置されるコンタクト区分が、互いに対応する形状接続の結合部材を有している。このヒューズリンクは、品質低下及び特別なコスト増大を考慮する必要なしに、複数の個別部材を１つのヒューズリンクに組み立てることを簡単にするという課題を有している。
2007514284.tif 000002
【特許請求の範囲】
【請求項１】
平形絶縁体及び該絶縁体から突出する１対のコンタクトを備えたヒューズリンクであって、絶縁体の収容部に収容可能な前記コンタクトのコンタクト区分が、溶融導体を介して互いに結合されている形式のものにおいて、
収容部（２，３）の内の少なくとも１つ及び該収容部にそれぞれ対応配置されるコンタクト区分（１４，１５）が、互いに対応する形状接続の結合部材（６，７，１７，１８）を有していることを特徴とする、平形絶縁体を備えたヒューズリンク。
【請求項２】
各収容部（２，３）が差込み穴（４，５）として形成されており、該差込み穴内へ少なくとも１つの第１の結合部材（６，７）が突出している、請求項１記載のヒューズリンク。
【請求項３】
各コンタクト区分（１４，１５）が、差込み穴（４，５）に嵌合式で差込み可能な軸部として形成されており、該軸部が、突出した第１の結合部材（６，７）のための少なくとも１つの係合部（１７，１８）を有している、請求項１又は２記載のヒューズリンク。
【請求項４】
係合部（１７，１８）が、それぞれ加工成形された長手方向溝である、請求項３記載のヒューズリンク。
【請求項５】
第１の結合部材（６，７）が、それぞれ差込み穴（４，５）内へ突出した、長手方向溝として設けられた係合部（１７，１８）に嵌合するキー（８，９）の形の隆起部である、請求項１から３までのいずれか１項記載のヒューズリンク。
【請求項６】
長手方向溝として設けられた係合部（１７，１８）が、それぞれ対応する軸区分（１４，１５）の全長の規定された部分にわたって延びている、請求項１から５までのいずれか１項記載のヒューズリンク。
【請求項７】
キー（８，９）として設けられた結合部材（６，７）が、差込み穴（４，５）の全長の規定された部分にわたって延びている、請求項１から５までのいずれか１項記載のヒューズリンク。
【請求項８】
差込み穴（４，５）及び対応する各軸区分（１４，１５）の、互いに接触させることのできる表面の規定された範囲が、摩擦を高める表面成形部を有している、請求項１から７までのいずれか１項記載のヒューズリンク。
【請求項９】
表面成形部が、コンタクトの絶縁体（１）への挿入方向とは逆方向で係止する、返しフック状に形成された歯を有している、請求項８記載のヒューズリンク。
【請求項１０】
コンタクト舌片（１２，１３）とは反対の側のコンタクト区分（１４，１５）の自由端部が、それぞれ中央ノッチ（１９，２０）を有している、請求項１から９までのいずれか１項記載のヒューズリンク。
【発明の詳細な説明】
【技術分野】
【０００１】
本発明は、平形絶縁体及び該絶縁体から突出する１対のコンタクトを備えたヒューズリンクであって、絶縁体の収容部に収容可能な前記コンタクトのコンタクト区分が、溶融導体を介して互いに結合されている形式のものに関する。
【０００２】
平形絶縁体を備えたヒューズリンクは、そのコンタクト舌片を以てヒューズホルダに挿入される。どのヒューズホルダも電流回路の導体内で分離箇所を形成しており、正常な電流回路においては溶融導体が分離箇所を架橋する。異常電流が発生すると、溶融導体が場合によっては焼き切れて、電流回路を遮断する。
【０００３】
公知のヒューズの場合、各１つのヒューズリンクを支持する絶縁体は、このために適したプラスチックから成っている。ヒューズリンクは大抵、絶縁体に組込み可能な金属製の打抜き部材である。予め製作された絶縁体と、やはり予め製作されたヒューズリンクとが生産ライン内で接合され且つ互いに結合される。
【０００４】
この結合を熱間プレス加工又は超音波溶接によって形成することは公知であり、この場合、ヒューズリンクの係止は大抵、絶縁体に収容され得るヒューズリンクのコンタクト区分に穴又は開口を配置し、これらの穴又は開口に、熱間プレス加工中又は超音波溶接中にもたらされる熱によって溶融された絶縁体の材料を侵入させることによって行われる。例えばプラスチック等のこの材料の冷却後はどのコンタクト区分も、延いてはどのヒューズリンクも絶縁体に固着する。
【０００５】
熱間プレス過程若しくは超音波溶接過程を実施するための方法的及び装置的な手間と、これに起因するコスト面の欠点を別にしても、熱による結合は、ヒューズリンクの製作に際して不良率が高まる恐れがあるという欠点をも有している。このことは、全く一様に進行する加熱過程及び冷却過程が、例えば製作現場の周辺環境温度の変動によってだけでも既に保証され得ないということに関連している。
【０００６】
本発明の課題は、品質低下並びに特別なコスト増大を考慮する必要なしに、複数の個別部材を１つのヒューズリンクに組み立てることを簡略化することにある。
【０００７】
この課題は本発明に基づき請求項１の特徴部に記載の構成によって解決される。有利な構成は従属請求項２〜１０に記載されている。
【０００８】
形状接続部の結合部材は、接合しようとする構成部材にその接合前に簡単に取り付けられる。ヒューズリンクをそのコンタクトと一緒に対応する生産ラインで製作する際、並びに絶縁体を例えば射出成形法で製作する際に、適当な結合部材は簡単に加工成形され得る。次いでこれらの結合部材は、ヒューズの個別部材の接合時に形状接続する。この場合は結合のために、例えば熱間プレス加工又は超音波溶接等の付加的なプロセスは不要である。ヒューズリンクは絶縁体に接合、特に嵌合されるにすぎない。
【０００９】
このことは特に簡単である。それというのも、各収容部が差込み穴として形成されており、ヒューズリンクの各コンタクト区分が、それぞれ差込み穴に嵌合するように差込み可能な軸部として形成されているからである。差込み穴内へは第１の結合部材が突出しており、この結合部材のための少なくとも１つの係合部を前記軸部が有していてよい。逆の配置形式、即ち差込み穴に、軸部から突出した結合部材のための係合部を形成することも、勿論可能である。
【００１０】
但し、ヒューズリンクのコンタクトのコンタクト区分に係合部を配置することは、ヒューズリンクを製作するための材料及び作業手間が最小限に減少されているという利点を有している。
【００１１】
特に有利には、各係合部は各コンタクト区分に加工成形された長手方向溝である。この場合、第１の結合部材はそれぞれ差込み穴内へ突出した、前記長手方向溝に嵌合するキーの形の隆起部である。これにより、ヒューズリンクのコンタクトのコンタクト区分は、ヒューズを形成するために絶縁体に挿入され得る。
【００１２】
溝及びキーは、平形差込み部材として形成されたヒューズリンクと絶縁体との間の安定性を改善するという利点を有している。緩みのない確実な座りが保証されている。構成部材間の嵌合に応じて摩擦接続も向上され得、これにより一種のロックが得られる。
【００１３】
更に、長手方向溝が対応する軸区分の全長の規定された部分にわたって延びているということも前記安定性を助成する。同様に、キーも差込み穴の全長の規定された部分にわたって延びている。これにより、できるだけ大面積の相互接触が可能になると同時に、危機的な材料弱化が低減される。
【００１４】
溝及びキーは、例えば摩擦接続を得るために楔形に形成されていてもよい。摩擦接続は、ヒューズリンクと絶縁体との接合に際して、ずらし合わされるこれらの構成部材の最終的な組込み位置に接近すればするほど大きくなる。
【００１５】
差込み穴及び対応する各軸区分の、互いに接触させることのできる表面の規定された範囲に、摩擦を高める表面成形部を設けることも可能である。このような表面成形部は、例えばずらし方向とは逆方向で係止する、返しフック状に形成された歯であってよい。
【００１６】
絶縁体及び平形差込み部材として形成されたヒューズリンクを互いに最終組込み位置で係止するためには、ヒューズリンクのコンタクト舌片のコンタクト区分の各自由端部が中央ノッチを有していてよい。この中央ノッチは、ノッチの設けられたコンタクト区分のヘッド端部を、例えば適当な押圧工具を載置することにより拡開することを可能にする。これにより、コンタクト区分延いてはヒューズリンクが絶縁体に係止される。
【００１７】
以下に、本発明の実施例を図面につき詳しく説明する。
【００１８】
図１にはヒューズ用の絶縁体１を上から見た図が示されている。この絶縁体１は収容部２，３を有しており、これらの収容部２，３は差込み穴４，５として形成されている。差込み穴４内へは結合部材６が突出している。差込み穴５内へもやはり結合部材７が突出している。これらの結合部材６，７は、図示のように一体成形されたキー８，９として形成されている。
【００１９】
絶縁体１はプラスチック製の射出成形部材である。この絶縁体１は、ここでは約１０倍に拡大して示してある。
【００２０】
図２には図１に示した線ＩＩ−ＩＩに沿って絶縁体１を断面した図が示されている。同一構成部材には同一符号が付されている。
【００２１】
図２からは、キー８が差込み穴４内へ突出している様子及びキー８が差込み穴４の長さの一部にわたってしか延在していないということが判る。
【００２２】
図３には金属から成る導電性のヒューズリンクが示されており、このヒューズリンクは絶縁体１に収容される。平形差込み部材として形成されたヒューズリンクは、下側のコンタクト舌片１２，１３及び上部に位置するコンタクト区分１４，１５を備えた、対を成すように相並んで配置されたコンタクト１０，１１から成っている。コンタクト区分１４，１５は、溶融導体１６によって互いに導電接続されている。
【００２３】
図示のように各コンタクト区分１４，１５は、差込み穴４に嵌合式で差込み可能な軸部として形成されており、この軸部は、絶縁体１の突出した第１の結合部材６；７のための少なくとも１つの係合部１７；１８を有している。コンタクト舌片１２；１３とは反対の側のコンタクト区分１４；１５の自由端部には、それぞれ中央ノッチ１９；２０が配置されている。これらの中央ノッチ１９；２０は、適当な工具を用いて曲げ拡げるか若しくは拡開することにより、絶縁体１との係止用に利用可能である。
【００２４】
図４には、平形差込み部材として形成された、図３に示したヒューズリンクが、図３に示した線ＩＶ−ＩＶに沿って断面して示されている。同一構成部材には同一符号が付されている。
【００２５】
図４からは、コンタクト区分１５に設けられた係合部１７延いてはコンタクト区分１４に設けられた係合部１８もやはり長手方向溝として形成されており、この長手方向溝は、本実施例では対応するコンタクト区分１４；１５の全長の大部分にわたって延在しているということが判る。
【００２６】
図５には内部にヒューズリンクを収容した平形絶縁体１を備えたヒューズの側面図が示されており、軸部として形成されたヒューズリンクのコンタクト１０，１１のコンタクト区分が絶縁体１の対応する収容部に下方から差し込まれた場合、ヒューズリンクのコンタクト１０，１１は絶縁体１から突出する。この場合、破線で図示した互いに対応する結合部材（係合部１７，１８；突出した隆起部６，７）が形状接続する。
【図面の簡単な説明】
【００２７】
【図１】ヒューズの絶縁体を上から見た図である。
【図２】図１に示した絶縁体を線ＩＩ−ＩＩに沿って断面した図である。
【図３】平形差込み部材として形成されたヒューズリンクとして、溶融導体を介して結合されたコンタクト区分の側面図である。
【図４】図３に示した平形差込み部材として形成されたヒューズリンクを、図３に示した線ＩＶ−ＩＶに沿って断面した図である。
【図５】絶縁体と、該絶縁体内に配置されたヒューズリンクとから成るヒューズ全体の側面図である。
【図１】
2007514284.tif 000003
【図２】
2007514284.tif 000004
【図３】
2007514284.tif 000005
【図４】
2007514284.tif 000006
【図５】
2007514284.tif 000007
【国際調査報告】
2007514284.tif 000008
2007514284.tif 000009
2007514284.tif 000010
2007514284.tif 000011
2007514284.tif 000012
2007514284.tif 000013